(57)【要約】【課題】提示情報を再度取得する前に、その情報がユーザにとって有益であるか否かについて判断できるようにし、これにより有益でない情報の取得の低減が可能な情報提示装置を提供すること。【解決手段】提示情報を入力する入力手段２１と、前記提示情報から、前記提示情報に応じた注意喚起情報を生成する注意喚起情報生成手段２２，２３，２４と、注意喚起情報が提示された後に、提示情報を提示する提示手段２８と、を備える情報提示装置。【選択図】  図１
2010127644.tif 000002
【特許請求の範囲】
【請求項１】
提示情報を入力する入力手段と、
前記提示情報から、前記提示情報に応じた注意喚起情報を生成する注意喚起情報生成手段と、
前記提示情報と前記注意喚起情報とを提示する提示手段と、を備える情報提示装置。
【請求項２】
前記注意喚起情報生成手段は、前記注意喚起情報を音声信号で出力し、
前記提示手段は、前記注意喚起情報を音声により提示する請求項１に記載の情報提示装置。
【請求項３】
前記提示情報は、マークアップ言語で記述された情報を含む情報である請求項１または２に記載の情報提示装置。
【請求項４】
前記注意喚起情報生成手段は、前記マークアップ言語で記述された情報に含まれる、タイトル情報、位置情報および電話番号情報のうち少なくとも１つを抽出し、抽出した情報に基づき、前記注意喚起情報を生成する請求項３に記載に情報提示装置。
【請求項５】
前記提示情報は、電子メール情報を含む情報である請求項１〜４のいずれかに記載の情報提示装置。
【請求項６】
前記注意喚起情報生成手段は、前記電子メール情報に含まれる、件名情報、送信元情報および送受信時刻情報のうち少なくとも１つを抽出し、抽出した情報に基づき、前記注意喚起情報を生成する請求項５に記載に情報提示装置。
【請求項７】
前記提示情報は、交通情報を含む情報である請求項１〜６のいずれかに記載の情報提示装置。
【請求項８】
前記提示手段により既に提示された注意喚起情報の履歴を保持する保持手段をさらに備え、前記注意喚起情報生成手段は、前記保持手段に保持された前記注意喚起情報の履歴を参照して、注意喚起情報を生成する請求項１〜７のいずれかに記載の情報提示装置。
【請求項９】
前記提示情報を受信するための受信手段をさらに有する請求項１〜８のいずれかに記載の情報提示装置。
【発明の詳細な説明】
【技術分野】
【０００１】
本発明は、情報提示装置に関するものである。
【背景技術】
【０００２】
従来、車載用のナビゲーション装置などの情報提示装置において、各種情報を受信した際に、該情報を受信した旨をユーザに対して報知する技術が知られている。このようなナビゲーション装置において、報知された情報をユーザが取得できなかった際に、ユーザにより再報知の要求がなされた場合に、再度情報の提示を行うものが開示されている（特許文献１参照）。
【０００３】
【特許文献１】特開２００３−２７１１９３号公報
【発明の開示】
【発明が解決しようとする課題】
【０００４】
しかしながら、上記従来技術では、ユーザによる再報知の要求により、再度情報が提示された後に、ユーザは提示された情報を確認して、有益な情報か否かを判断するものであるため、結果として有益でない情報についても再提示の要求が行われ、有益でない情報の取得が行われる場合があるという課題があった。
【０００５】
本発明が解決しようとする課題は、提示情報を再度取得する前に、その情報がユーザにとって有益であるか否かについて判断できるようにし、これにより有益でない情報の取得の低減が可能な情報提示装置を提供することを目的とする。
【課題を解決するための手段】
【０００６】
本発明は、入力された提示情報から注意喚起情報を生成し、生成した注意喚起情報を、提示情報とあわせて提示することにより、上記課題を解決する。
【発明の効果】
【０００７】
本発明によれば、ユーザが提示情報を取得できなかった場合でも、注意喚起情報を参照することにより、取得できなかった情報の内容を推測し、ユーザにとって有益であるか否かについて判断することができるため、これにより有益でない情報の取得の低減が可能となる。
【発明を実施するための最良の形態】
【０００８】
以下、本発明の実施形態を図面に基づいて説明する。
【０００９】
≪第１実施形態≫
図１は本実施形態に係るナビゲーション装置１の全体構成を示すブロック図である。ナビゲーション装置１は、たとえば車両に搭載され、車両周辺の地図情報や地名情報を表示したり、ユーザの所望する目的地までの経路を表示したりする。ナビゲーション装置１は、図１に示すように情報開示装置２を備えており、この情報開示装置２は、ナビゲーション装置１において、ナビゲーション装置１に取得された各種情報をユーザに開示する情報開示機能を担っている。
【００１０】
図１に示すように、情報開示装置２は、受信部２０、入力部２１、情報抽出部２２、ガイダンス情報生成部２３、音声情報生成部２４、保持部２５、Ｄ／Ａコンバータ２６、アンプ２７、スピーカ２８、情報提示部２９およびディスプレイ３０を備えてなる。
【００１１】
受信部２０は、車両の外部と通信を行うための通信装置３と接続されており、受信部２０は、通信装置３により取得された各種情報、たとえば、ＸＭＬ情報等のマークアップ言語で記述された情報、電子メール情報、交通情報などのテキスト情報を受信し、受信したテキスト情報を入力部２１に送る。なお、通信装置３は、車両の外部と通信を行うための通信手段であり、たとえば、車両内から電話をかけたり、車両の外部からインターネットを介して各種情報を取得する際に用いられる。このような通信装置３の具体例としては、たとえば携帯電話などが挙げられる。
【００１２】
入力部２１は、受信部２０で受信した車両外部からのテキスト情報を取得し、テキスト情報を情報抽出部２２および情報提示部２９に送信する。また、入力部２１は、受信部２０からのテキスト情報に加えて、内部情報端末４に保持された車両に関する車両情報を取得し、車両情報を、ガイダンス情報生成部２３に送信する。なお、内部情報端末４は、車両内部の情報を保持するための装置であり、たとえば、車両の燃費に関する情報や、車両の現在位置の情報（車両の現在位置の緯度・経度の情報）などが保持されている。
【００１３】
情報抽出部２２は、受信部２０で受信し、入力部２１から送られたテキスト情報について、テキスト情報の種類を検出し、次いで、テキスト情報から、ユーザに注意喚起を促すために必要となる情報である抽出情報の抽出を行い、抽出情報をガイダンス情報生成部２３に送信する。テキスト情報の種類の検出は、受信部２０で受信したテキスト情報が、たとえば、ＸＭＬ情報、電子メール情報、交通情報あるいはその他の情報のいずれであるかについて判断することにより行われる。また、情報抽出部２２により抽出される抽出情報としては、たとえば、テキスト情報がＸＭＬ情報である場合には、ＸＭＬ情報中に記録されているタイトル情報、緯度・経度情報および電話番号の情報などが挙げられる。また、テキスト情報が電子メール情報である場合には、ヘッダー部分に含まれる件名情報、送信元の情報、および送受信時刻情報などが挙げられる。さらに、テキスト情報が交通情報である場合には、渋滞箇所に関する情報などが挙げられる。
【００１４】
ガイダンス情報生成部２３は、情報抽出部２２により抽出された抽出情報から、ユーザに注意喚起を促すために適した情報を選択し、選択した情報に、ユーザに注意喚起を促すために必要な情報を組み合わせることにより、ユーザに報知するためのガイダンス情報を作製し、作製したガイダンス情報を音声情報生成部２４に送信する。ガイダンス情報生成部２３により作製されるガイダンス情報は、通常テキスト形式で作製される。なお、情報抽出部２２により抽出された抽出情報中に、ユーザに注意喚起を促すために適した情報が存在しない場合には、情報抽出部２２において判断されたテキスト情報の種類のみに応じて、ガイダンス情報を作製する。
【００１５】
音声情報生成部２４は、ガイダンス情報生成部２３により作製されたガイダンス情報に基づき、ユーザに報知するための合成音声を生成する。具体的には、音声情報生成部２４は、テキスト形式で作製されたガイダンス情報を用い、波形接続方式やＨＭＭ（Ｈｉｄｄｅｎ  Ｍａｒｋｏｖ  Ｍｏｄｅｌ）など既知の音声合成方法などにより、ガイダンス情報生成部２３から送信されたガイダンス情報に基づく合成音声を作製する。そして、作製された合成音声は、Ｄ／Ａコンバータ２６に送られ、Ｄ／Ａコンバータ２６によりアナログ信号に変換され、次いで、アンプ２７で増幅された後に、スピーカ２８を介して、ユーザに注意喚起を促すためのガイダンス音声として出力される。また、作製された合成音声は、ガイダンス情報生成部２３において、ガイダンス情報を作製する際に用いられた抽出情報と関連させて、音声情報生成部２４から保持部２５に送信される。
【００１６】
保持部２５は、音声情報生成部２４により作製された合成音声を、合成音声の作製に用いられた抽出情報に関連させて保存し、これにより、音声情報生成部２４により作製された合成音声の履歴を保持する。そして、保持された合成音声の履歴は、音声情報生成部２４により、合成音声を作製する際に適宜用いられる。また、保持部２５は、合成音声の履歴以外にも、電子メールアドレスを複数保存したアドレス帳やその他、ナビゲーション装置１の動作に用いられる各種情報を保持するものである。
【００１７】
情報提示部２９は、入力部２１から送られたテキスト情報から、ユーザに提示するためのユーザ提示情報を抽出し、抽出したユーザ提示情報をディスプレイ３０に表示することにより、ユーザに対して、ユーザ提示情報の提示を行う。また、情報提示部２９は、ユーザによりナビゲーション装置１に備えられた不図示の操作部を介して、テキスト情報の再提示が要求された場合に、受信部２０へ、テキスト情報の再取得要求信号を送信し、受信部２０にテキスト情報の再取得を行わせる。なお、ユーザによりテキスト情報の再取得が要求される場合としては、たとえば、ユーザが、ガイダンス音声に基づき、取得したテキスト情報が必要な情報であると判断した一方で、ディスプレイ３０に表示されたユーザ提示情報を確認できなかった場合などが挙げられる。
【００１８】
次いで、第１実施形態の動作について説明する。
【００１９】
第１実施形態では、受信部２０がＸＭＬ情報を受信した場合を例示して、その動作を説明する。図２は、本発明の実施形態における情報開示装置２の動作を示すフローチャートである。なお、ＸＭＬ情報は、たとえば、ナビゲーション装置１を携帯電話などの通信装置３を用いてインターネットに接続することで、受信部２０より受信することができる。
【００２０】
まず、ステップＳ１では、受信部２０が、通信装置３を介して、車両の外部からのテキスト情報を受信したか否かを検出する。そして、受信部２０がテキスト情報を受信した場合には、ステップＳ２に進む。一方、受信部２０がテキスト情報を受信していない場合には、テキスト情報を受信したか否かの検出を繰り返す。
【００２１】
ステップＳ２では、受信部２０は、受信したテキスト情報を、入力部２１に入力し、入力部２１は入力されたテキスト情報を情報抽出部２２、および情報提示部２９に送信する。
【００２２】
ステップＳ３では、情報抽出部２２が、受信部２０で受信され、入力部２１から送信されたテキスト情報の種類を検出する。たとえば、テキスト情報の種類の検出は、入力部２１から送信されたテキスト情報が、ＸＭＬ情報、電子メール情報、交通情報あるいはその他の情報のいずれであるかについて判断することにより行われる。なお、上述したように、第１実施形態においては、受信部２０により受信したテキスト情報がＸＭＬ情報である場合を例示して、以下説明する。
【００２３】
ステップＳ４では、情報抽出部２２によるテキスト情報からの抽出情報の抽出処理、およびガイダンス情報生成部２３によるガイダンス情報の作製処理が行われる。具体的には、情報抽出部２２が、ステップＳ３において検出されたテキスト情報の種類に応じて、テキスト情報から、ユーザに注意喚起を促すために必要となる情報である抽出情報の抽出を行う。次いで、ガイダンス情報生成部２３が、情報抽出部２２により抽出された抽出情報から、ユーザに注意喚起を促すために適した情報を選択し、選択した情報に基づき、ユーザに報知するためのガイダンス情報を作製する。
【００２４】
ここで、受信部２０で受信したテキスト情報が、ＸＭＬ情報である場合における、テキスト情報からの情報の抽出・ガイダンス情報作製処理について、図３を参照しながら詳細に説明する。図３は、テキスト情報がＸＭＬ情報である場合における、情報の抽出・ガイダンス情報作製処理を示すフローチャートである。
【００２５】
まず、ステップＳ４０１では、情報抽出部２２が、ＸＭＬ情報からタイトル情報を取得するとともに、ＸＭＬ情報中に、緯度・経度に関する情報、または電話番号の情報が含まれている場合には、これらの情報も取得する。そして、情報抽出部２２は抽出された各情報をガイダンス情報生成部２３に送信する。なお、ＸＭＬ情報は、マークアップ言語を用いて文章が構成されているため、情報抽出部２２は、ＸＭＬ情報中に含まれるタグから、上記した各情報の検出および抽出を行うことができる。
【００２６】
次いで、ステップＳ４０２では、ガイダンス情報生成部２３が、情報抽出部２２により、ＸＭＬ情報から緯度・経度情報が抽出されたか否かを判断する。ＸＭＬ情報から緯度・経度情報が抽出された場合には、ステップＳ４０３に進み、ガイダンス情報生成部２３は、タイトル情報および緯度・経度情報を選択し、次いで、ステップＳ４０４に進み、タイトル情報および緯度・経度情報に、ユーザに注意喚起を促すために必要な情報を組み合わせることにより、ガイダンス情報を作製し、これを音声情報生成部２４に送信する。
【００２７】
たとえば、図４Ａに示すように緯度・経度情報の含まれたＸＭＬ情報が取得された場合には、ステップＳ４０３において、ガイダンス情報生成部２３は、タイトル情報「新規オープンのお知らせ」、および緯度・経度情報「緯度：３５．××度、経度：１３９．××度」を選択する。そして、ステップＳ４０４に進み、ガイダンス情報生成部２３は、緯度・経度情報「緯度：３５．××度、経度：１３９．××度」から、ＸＭＬ情報の所在地が「緯度：３５．××度、経度：１３９．××度」である点が明確となっているため、自車位置と、ＸＭＬ情報に含まれるタイトル情報および緯度・経度情報に基づき、たとえば、「３ｋｍ先に、お店がオープンしました」という内容のガイダンス情報を作製し、これを音声情報生成部２４に送信する。なお、自車位置は、入力部２１を介して、内部情報端末４から取得することができる。
【００２８】
一方、ステップＳ４０２において、ＸＭＬ情報から緯度・経度情報が抽出されなかった場合には、ステップＳ４０５に進む。
【００２９】
ステップＳ４０５では、ガイダンス情報生成部２３が、情報抽出部２２により、ＸＭＬ情報から電話番号の情報が抽出されたか否かを判断する。ＸＭＬ情報から電話番号の情報が抽出された場合には、ステップＳ４０６に進み、ガイダンス情報生成部２３は、タイトル情報および電話番号情報を選択し、次いで、ステップＳ４０４に進み、タイトル情報および電話番号情報に、ユーザに注意喚起を促すために必要な情報を組み合わせることにより、ガイダンス情報を作製し、これを音声情報生成部２４に送信する。
【００３０】
たとえば、図４Ｂに示すように電話番号情報の含まれたＸＭＬ情報が取得された場合には、ステップＳ４０６において、ガイダンス情報生成部２３は、タイトル情報「新規オープンのお知らせ」、および電話番号情報「０４６−×××−××××」を選択する。そして、ステップＳ４０４に進み、ガイダンス情報生成部２３は、電話番号情報「０４６−×××−××××」から、ＸＭＬ情報が所在する市区町村などが分かるため、ＸＭＬ情報に含まれるタイトル情報および電話番号情報より、たとえば、「厚木市周辺に、お店がオープンしました」という内容のガイダンス情報を作製し、これを音声情報生成部２４に送信する。
【００３１】
一方、ステップＳ４０５において、ＸＭＬ情報から電話番号情報が抽出されなかった場合には、ステップＳ４０７に進む。
【００３２】
ステップＳ４０７では、受信部２０で受信したＸＭＬ情報から緯度・経度情報および電話番号情報のいずれも抽出できなかったため、ガイダンス情報生成部２３は、タイトル情報のみを選択し、次いで、ステップＳ４０４に進み、タイトル情報に、ユーザに注意喚起を促すために必要な情報を組み合わせることにより、ガイダンス情報を作製し、これを音声情報生成部２４に送信する。
【００３３】
たとえば、図４Ｃに示すように緯度・経度情報および電話番号情報のいずれも含まれていないＸＭＬ情報が取得された場合には、ステップＳ４０６において、ガイダンス情報生成部２３は、タイトル情報「新規オープンのお知らせ」のみを選択する。そして、ステップＳ４０４に進み、ガイダンス情報生成部２３は、タイトル情報より、たとえば、「新規オープンのお知らせです」という内容のガイダンス情報を作製し、これを音声情報生成部２４に送信する。
【００３４】
そして、図２に戻り、ステップＳ５では、音声情報生成部２４が、ステップＳ４０１４において、ガイダンス情報生成部２３により作製されたガイダンス情報を取得し、取得したガイダンス情報に基づいて、合成音声の作製を行う。合成音声の作製は、波形接続方式やＨＭＭなど既知の音声合成方法などを用いて行うことができる。
【００３５】
ここで、音声情報生成部２４により合成音声を作製する際には、保持部２５に保持された合成音声の履歴に基づいて、作製する構成となっていても良い。この場合には、同じガイダンス情報について、音声合成を繰り返す場合であっても、合成される音声を保持部２５に保持された合成音声の履歴に基づいて、適宜改良することができるため、音声情報生成部２４により作製される合成音声をより自然なものとすることができる。
【００３６】
そして、ステップＳ６では、音声情報生成部２４により作製された合成音声が、Ｄ／Ａコンバータ２６に送られ、Ｄ／Ａコンバータ２６によりアナログ信号に変換され、次いで、アンプ２７で増幅された後に、スピーカ２８を介して、ガイダンス音声として出力され、これによりユーザへの報知が行われる。
【００３７】
次いで、ステップＳ７では、情報提示部２９が、入力部２１から送信されたテキスト情報から、ユーザに提示するためのユーザ提示情報を抽出し、抽出したユーザ提示情報をディスプレイ３０に表示し、これにより、ユーザに対して、ユーザ提示情報の提示を行う。
【００３８】
次いで、ステップＳ８では、情報提示部２９により、ユーザによるテキスト情報の再取得の要求がなされたか否かを判断する。テキスト情報の再取得の要求は、たとえば、ユーザが、ガイダンス音声に基づき、取得したテキスト情報が必要な情報であると判断した一方で、ディスプレイ３０に表示されたユーザ提示情報を確認できなかった場合に、ユーザが、ナビゲーション装置１に備えられた不図示の操作部により、テキスト情報の再取得の要求を行うことにより、実行される。ユーザによりテキスト情報の再取得要求がなされた場合には、ステップＳ９に進み、テキスト情報の再取得が行われ、一方、ユーザによりテキスト情報の再取得要求がなされなかった場合には、ユーザへのユーザ提示情報の提示処理を終了する。
【００３９】
ステップＳ９では、ユーザによるテキスト情報の再取得要求に基づき、情報提示部２９から受信部２０にテキスト情報の再取得要求信号が送信され、受信部２０は、再取得要求信号に基づき、再度、テキスト情報を取得する。そして、再度取得したテキスト情報は、入力部２１に入力され、入力部２１から情報提示部２９に送信され、ステップＳ７に戻る。そして、ステップＳ７において、情報提示部２９は、入力部２１から送信されたテキスト情報から、ユーザに提示するためのユーザ提示情報を抽出し、抽出したユーザ提示情報を、再度、ディスプレイ３０に表示し、これにより、ユーザに対して、ユーザ提示情報の再提示を行う。
【００４０】
以上のようにして、情報開示装置２によって、受信部２０で受信したＸＭＬ情報などのテキスト情報に基づき、ガイダンス音声の作製およびユーザへの報知、ユーザ提示情報の提示、ならびにテキスト情報の再取得が行われ、これによりユーザに対して、注意喚起を促すとともに、ユーザ提示情報の提示を行うことができる。
【００４１】
第１実施形態によれば、テキスト情報中の所定の情報に基づいて、ユーザに報知するためのガイダンス音声を作製し、これをユーザに報知するため、ユーザがそのガイダンス音声からその後に提示される情報の内容を推測することができる。そのため、詳細な内容を確認するに先だって、ユーザは、取得した情報の必要性を判断することができ、結果として、有益でない情報の取得の低減を図ることができる。
【００４２】
また、ガイダンス音声からその後に提示される情報の内容が予め推測できるため、取得した情報の内容を誤って認識したり、あるいは、車両の運転等の主作業が疎かになってしまうことを防止することができる。
【００４３】
加えて、第１実施形態においては、受信した情報からタイトル情報を抽出するとともに、緯度・経度情報や電話番号情報などの受信したＸＭＬ情報の所在地と関連する情報を抽出し、ＸＭＬ情報の所在地の情報に関連させてガイダンス音声を作製するため、ユーザは自車両の位置やユーザ自身の嗜好との関係で、取得した情報の必要性を判断することができる。
【００４４】
また、第１実施形態においては、ユーザに報知するための方法として、ガイダンス音声を採用していることにより、ユーザは自然な言葉情報で呼びかけられるため、ユーザと情報開示装置２との間のコミュニケーションをより自然な形で実現することができる。
【００４５】
≪第２実施形態≫
次いで、本発明の第２実施形態について説明する。
【００４６】
本発明の第２実施形態においては、第１実施形態で説明したナビゲーション装置１および情報開示装置２において、受信部２０により受信したテキスト情報が電子メール情報である場合における動作を説明する。なお、電子メール情報は、たとえば、ナビゲーション装置１を、携帯電話などの通信装置３を用いてインターネットに接続することで、受信部２０より受信することができる。
【００４７】
まず、第１実施形態と同様に、図２に示すステップＳ１において、受信部２０が、通信装置３を介して、車両の外部からのテキスト情報を受信したか否かを検出し、テキスト情報としての電子メール情報を受信した場合には、ステップＳ２において、受信部２０は、受信したテキスト情報を入力部２１に入力し、入力部２１は入力されたテキスト情報を情報抽出部２２および情報提示部２９に送信する。そして、ステップＳ３において、情報抽出部２２は、入力部２１から送信されたテキスト情報の種類を検出し、テキスト情報が電子メール情報であると判断する。
【００４８】
そして、図２に示すステップＳ４に進み、キスト情報からの情報の抽出・ガイダンス情報作製処理が行われる。第２実施形態においては、受信部２０により受信したテキスト情報が電子メール情報であるため、テキスト情報からの情報の抽出・ガイダンス情報作製処理は、以下に説明するように、図５に示すフローチャートに従って行われることとなる。なお、図５は、テキスト情報が電子メール情報である場合における、情報の抽出・ガイダンス情報作製処理を示すフローチャートである。
【００４９】
まず、図５に示すステップＳ４１１においては、情報抽出部２２が、電子メール情報のヘッダー部分に含まれる件名情報および送信元の情報を取得するとともに、送受信時刻情報が含まれている場合には、送受信時刻情報も取得する。
【００５０】
次いで、ステップＳ４１２では、ガイダンス情報生成部２３が、情報抽出部２２により、電子メール情報のヘッダー部分から抽出された送信元の情報に含まれる送信元が、アドレス帳に登録されているか否かを判断する。なお、アドレス帳としては、保持部２５に保持されているものを用いても良いし、あるいは、通信装置３が携帯電話等のメモリ中にアドレス帳を有するものである場合には、通信装置３に記録されたメモリ情報を参照しても良い。そして、送信元の情報が、アドレス帳中に登録されている場合には、ステップＳ４１３に進み、ガイダンス情報生成部２３は、アドレス帳から、送信元の情報に含まれる送信元に対応する送信者名情報を取得し、件名情報および送信者名情報を選択し、次いで、ステップＳ４１４に進み、件名情報および送信者名情報に、ユーザに注意喚起を促すために必要な情報を組み合わせることにより、ガイダンス情報を作製し、これを音声情報生成部２４に送信する。
【００５１】
たとえば、図６Ａに示すように送信元の情報に含まれる送信元がアドレス帳に登録されている電子メール情報が取得された場合には、ステップＳ４１３において、ガイダンス情報生成部２３は、件名情報「Ｒｅ：来週の件について」、および送信者名情報「○○さん」を選択する。そして、ステップＳ４１４に進み、ガイダンス情報生成部２３は、件名情報の「Ｒｅ：」の部分より、返信メールであると判断できるため、件名情報および送信者名情報に基づき、たとえば、「返信メールが○○さんから届いています」という内容のガイダンス情報を作製し、これを音声情報生成部２４に送信する。
【００５２】
また、図６Ｂに示すような電子メール情報が取得された場合にも、同様に、ステップＳ４１３において、ガイダンス情報生成部２３は、件名情報「来週の件について」、および送信者名情報「○○さん」を選択する。そして、ステップＳ４１４に進み、ガイダンス情報生成部２３は、件名情報中に「Ｒｅ：」等の返信メールであることを示す情報が含まれていないため、件名情報および送信者名情報に基づき、たとえば、「来週の件について、○○さんからメールです」という内容のガイダンス情報を作製し、これを音声情報生成部２４に送信する。
【００５３】
一方、ステップＳ４１２において、送信元の情報に含まれる送信元がアドレス帳に登録されていないと判断された場合には、ステップＳ４１５に進む。
【００５４】
ステップＳ４１５では、ガイダンス情報生成部２３が、情報抽出部２２により、電子メール情報から送受信時刻情報が抽出されたか否かを判断する。電子メール情報から送受信時刻情報が抽出された場合には、ステップＳ４１６に進み、ガイダンス情報生成部２３は、送受信時刻情報を選択し、次いで、ステップＳ４１４に進み、送受信時刻情報に、ユーザに注意喚起を促すために必要な情報を組み合わせることにより、ガイダンス情報を作製し、これを音声情報生成部２４に送信する。
【００５５】
たとえば、図６Ｃに示すように、送信元の情報に含まれる送信元がアドレス帳に登録されていないものの、送受信時刻情報が含まれる電子メール情報が取得された場合には、ステップＳ４１５において、ガイダンス情報生成部２３は、送受信時刻情報「１５時００分」を選択する。そして、ステップＳ４１４に進み、ガイダンス情報生成部２３は、送受信時刻情報と現在時刻に基づき、たとえば、送受信時刻が現在時刻より１０分前である場合には、「メールが１０分前に届いています」という内容のガイダンス情報を作製し、これを音声情報生成部２４に送信する。
【００５６】
一方、ステップＳ４１５において、送受信時刻情報が抽出されなかったと判断された場合には、ステップＳ４１７に進む。
【００５７】
ステップＳ４１７では、電子メール情報から抽出された送信元の情報に含まれる送信元がアドレス帳に登録されておらず、さらには、電子メール情報から送受信時刻情報も抽出できなかったため、ガイダンス情報生成部２３は、情報抽出部２２で抽出された抽出情報から、情報を選択しない旨の決定をする。そして、ステップＳ４１４に進み、電子メール情報を受信した旨の情報のみに基づき、ガイダンス情報を作製し、これを音声情報生成部２４に送信する。
【００５８】
たとえば、図６Ｄに示すように、送信元の情報に含まれる送信元がアドレス帳に登録されておらず、さらには送受信時刻情報も含まれていない電子メール情報を取得した場合には、ステップＳ４１７において、ガイダンス情報生成部２３は、情報抽出部２２で抽出された抽出情報から、特に情報を選択しない旨の決定をする。そして、ステップＳ４１４に進み、ガイダンス情報生成部２３は、電子メール情報を受信した旨の情報のみに基づき、たとえば、「メールが届いています」という内容のガイダンス情報を作製し、これを音声情報生成部２４に送信する。
【００５９】
そして、図２に戻り、ステップＳ５において、第１実施形態と同様に、音声情報生成部２４が、ステップＳ４１１〜Ｓ４１７において、電子メール情報から抽出された情報に基づき、作製されたガイダンス情報を取得し、ガイダンス情報に基づいて、合成音声の作製を行う。次いで、第１実施形態と同様に、ステップＳ６において、合成音声が、Ｄ／Ａコンバータ２６、アンプ２７およびスピーカ２８を介して、ガイダンス音声として出力され、これによりユーザへの報知、さらには、ステップＳ７において、ディスプレイ３０へのユーザ提示情報の表示が行われる。
【００６０】
また、第２実施形態においても、第１実施形態と同様に、ステップＳ８において、ユーザによるテキスト情報の再取得の要求がなされたか否かを判断し、テキスト情報の再取得の要求がなされた場合には、ステップＳ９において、テキスト情報の再取得が行われ、ステップＳ７に戻り、テキスト情報の再提示が行われる。
【００６１】
第２実施形態によれば、上述した第１実施形態における効果に加え、次の効果を奏する。すなわち、電子メール情報から送信元の情報を抽出し、アドレス帳を参照することにより送信者名を特定し、送信者名の情報に関連させてガイダンス音声を作製するため、ユーザは電子メールの送信者を把握することができ、これにより取得した電子メール情報の必要性を適切に判断することができる。
【００６２】
さらに、第２実施形態によれば、電子メール情報から件名情報を抽出し、件名情報に関連させてガイダンス音声を作製するため、ユーザは電子メールの内容を推測することができ、これにより取得した電子メール情報の必要性を適切に判断することができる。
【００６３】
また、第２実施形態においては、送信元がアドレス帳に登録されていない場合であっても、電子メール情報から送受信時刻情報を抽出し、送受信時刻情報に関連させてガイダンス音声を作製するため、ユーザは電子メールの受信時を把握することができ、これにより取得した電子メール情報の必要性を適切に判断することができる。
【００６４】
≪第３実施形態≫
次いで、本発明の第３実施形態について説明する。
【００６５】
本発明の第３実施形態においては、第１実施形態で説明したナビゲーション装置１および情報開示装置２において、受信部２０により受信したテキスト情報が、ＶＩＣＳ（登録商標）情報などの交通情報を受信した場合における動作を説明する。ＶＩＣＳ情報などの交通情報は、たとえば、ＦＭ放送などを介して、受信部２０より受信することができる。
【００６６】
まず、第１実施形態と同様に、図２に示すステップＳ１において、受信部２０が、通信装置３を介して、車両の外部からのテキスト情報を受信したか否かを検出し、テキスト情報としての交通情報を受信した場合には、ステップＳ２において、受信部２０は、受信したテキスト情報を、入力部２１に入力し、入力部２１は入力されたテキスト情報を情報抽出部２２および情報提示部２９に送信する。そして、ステップＳ３において、情報抽出部２２が、受信部２０で受信され、入力部２１から送信されたテキスト情報の種類を検出し、テキスト情報が交通情報であると判断される。
【００６７】
そして、図２に示すステップＳ４に進み、キスト情報からの情報の抽出・ガイダンス情報作製処理が行われる。第３実施形態においては、受信部２０により受信したテキスト情報が交通情報であるため、テキスト情報からの情報の抽出・ガイダンス情報作製処理は、以下に説明するように、図７に示すフローチャートに従って行われることとなる。なお、図７は、テキスト情報が交通情報である場合における、情報の抽出・ガイダンス情報作製処理を示すフローチャートである。
【００６８】
まず、図７に示すステップＳ４２１においては、情報抽出部２２が、交通情報に含まれる渋滞箇所に関する情報を抽出する。
【００６９】
次いで、ステップＳ４２２では、ガイダンス情報生成部２３が、ユーザによりナビゲーション装置１に対して目的地が設定されているか否かを判断する。目的地が設定されている場合には、ステップＳ４２３に進み、ステップＳ３において情報抽出部２２により抽出された渋滞箇所に関する情報、ナビゲーション装置１に設定された目的地の情報、および自車両の現在位置の情報から、渋滞箇所が目的地に至るまでの経路上に位置するか否かを判断する。その結果、渋滞箇所が目的地に至るまでの経路上に位置する場合には、ステップＳ４２４に進み、ガイダンス情報生成部２３は、受信部２０で受信した交通情報がユーザにとって関心度の高いものであると判断し、関心度「高」に設定する。次いで、ステップＳ４２５に進み、ガイダンス情報生成部２３は、受信部２０で受信した交通情報が関心度「高」であるとの設定に基づき、受信部２０により受信した交通情報に、ユーザに注意喚起を促すために必要な情報を組み合わせることにより、ガイダンス情報を作製し、これを音声情報生成部２４に送信する。
【００７０】
たとえば、図８Ａに示すように、ナビゲーション装置１に設定された目的地が、目的地「東京駅」、自車両の現在位置が、現在位置「神奈川県厚木市」であり、交通情報より抽出された渋滞箇所が、渋滞箇所「２４６号線●●交差点」であった場合には、ガイダンス情報生成部２３は、ステップＳ４２２において、目的地が設定されていると判断し、さらに、ステップＳ４２３において、渋滞箇所「２４６号線●●交差点」が、現在位置「神奈川県厚木市」から、目的地「東京駅」に至る経路上に存在すると判断する。そして、ステップＳ４２４において、ガイダンス情報生成部２３は、受信部２０で受信した交通情報を関心度「高」に設定する。次いで、ステップＳ４２５に進み、ガイダンス情報生成部２３は、受信部２０で受信した交通情報が関心度「高」であるとの設定に基づき、たとえば、「渋滞情報です」という内容のガイダンス情報を作製し、これを音声情報生成部２４に送信する。
【００７１】
一方、ステップＳ４２２において、ガイダンス情報生成部２３が、目的地が設定されていないと判断した場合、およびステップＳ４２３において、渋滞箇所が目的地に至る経路上にないと判断した場合には、ステップＳ４２６に進む。
【００７２】
ステップＳ４２６においては、ガイダンス情報生成部２３が、交通情報中から抽出された渋滞箇所の情報と、自車両の現在位置とに基づき、渋滞箇所と自車両の現在位置との間の距離が所定値以下であるか否かを判断する。渋滞箇所と自車両の現在位置との間の距離が所定値以下である場合には、ステップＳ４２７に進み、ガイダンス情報生成部２３は、自車両が交通情報より抽出された渋滞箇所による影響を受ける可能性があることから、受信部２０で受信した交通情報を関心度「中」に設定する。次いで、ステップＳ４２５に進み、ガイダンス情報生成部２３は、受信部２０で受信した交通情報が関心度「中」であるとの設定に基づき、受信部２０により受信した交通情報に、ユーザに注意喚起を促すために必要な情報を組み合わせることにより、ガイダンス情報を作製し、これを音声情報生成部２４に送信する。
【００７３】
たとえば、図８Ｂに示すように、自車両の現在位置が、現在位置「神奈川県厚木市」であり、交通情報より抽出された渋滞箇所が、渋滞箇所「横浜横須賀道路△△ＩＣ
」であった場合には、ガイダンス情報生成部２３は、ステップＳ４２６において、渋滞箇所と自車両の現在位置との間の距離が所定値以下であると判断し、ステップＳ４２７に進み、受信部２０で受信した交通情報を関心度「中」に設定する。次いで、ステップＳ４２５に進み、ガイダンス情報生成部２３は、受信部２０で受信した交通情報が関心度「中」であるとの設定に基づき、たとえば、「周辺で渋滞のようです」という内容のガイダンス情報を作製し、これを音声情報生成部２４に送信する。
【００７４】
一方、ステップＳ４２６において、ガイダンス情報生成部２３が、渋滞箇所と自車両の現在位置との間の距離が所定値より大きいと判断した場合には、ステップＳ４２８に進む。
【００７５】
ステップＳ４２８においては、ガイダンス情報生成部２３が、渋滞箇所が目的地に至るまでの経路上に存在せず、さらに、渋滞箇所が自車両から離れた位置に存在するため、自車両が交通情報より抽出された渋滞箇所による影響を受ける可能性が低いことから、受信部２０で受信した交通情報がユーザにとって関心度が低いと判断し、受信部２０で受信した交通情報を関心度「低」に設定する。そして、ステップＳ４２５に進み、ガイダンス情報生成部２３は、受信部２０で受信した交通情報が関心度「低」であるとの設定に基づき、受信部２０により受信した交通情報に、ユーザに注意喚起を促すために必要な情報を組み合わせることにより、ガイダンス情報を作製し、これを音声情報生成部２４に送信する。
【００７６】
たとえば、図８Ｃに示すように、自車両の現在位置が、現在位置「神奈川県厚木市」であり、交通情報より抽出された渋滞箇所が、渋滞箇所「首都高速
」であった場合には、ガイダンス情報生成部２３は、ステップＳ４２６において、渋滞箇所と自車両の現在位置との間の距離が所定値より大きいと判断し、ステップＳ４２８に進み、受信部２０で受信した交通情報を関心度「低」に設定する。そして、ステップＳ４２５に進み、ガイダンス情報生成部２３は、受信部２０で受信した交通情報が関心度「低」であるとの設定に基づき、たとえば、「今日は混雑箇所が多いです」という内容のガイダンス情報を作製し、これを音声情報生成部２４に送信する。
【００７７】
そして、図２に戻り、ステップＳ５において、第１実施形態と同様に、音声情報生成部２４が、ステップＳ４２５において、ガイダンス情報生成部２３により作製されたガイダンス情報を取得し、取得したガイダンス情報に基づいて、合成音声の作製を行う。次いで、第１実施形態と同様に、ステップＳ６において、合成音声が、Ｄ／Ａコンバータ２６、アンプ２７およびスピーカ２８を介して、ガイダンス音声として出力され、これによりユーザへの報知、さらには、ステップＳ７において、ディスプレイ３０へのユーザ提示情報の表示が行われる。
【００７８】
また、第３実施形態においても、第１実施形態と同様に、ステップＳ８において、ユーザによるテキスト情報の再取得の要求がなされたか否かを判断し、テキスト情報の再取得の要求がなされた場合には、ステップＳ９において、テキスト情報の再取得が行われ、ステップＳ７に戻り、テキスト情報の再提示が行われる。
【００７９】
第３実施形態によれば、上述した第１実施形態における効果に加え、次の効果を奏する。すなわち、第３実施形態によれば、交通情報から渋滞箇所の情報を抽出し、ナビゲーション装置１に設定された目的地、および自車両の現在位置に基づき、これらの位置関係を考慮してガイダンス音声を作製するため、ユーザは、ルートに応じた現在地周辺の交通状況に応じて、受信部２０で受信した交通情報の重要性を判断することができる。
【００８０】
なお、上述した第１〜第３実施形態において、受信部２０は本発明の受信手段に、入力部２１は本発明の入力手段に、情報抽出部２２、ガイダンス情報生成部２３、および音声情報生成部２４は本発明の注意喚起情報生成手段に、保持部２５は本発明の保持手段に、スピーカ２８、ディスプレイ３０は本発明の提示手段に、それぞれ相当する。
【００８１】
また、本発明は、上述した第１〜第３実施形態に限定されるものではなく、また、これら各実施形態を組み合わせても良いのはもちろんである。
【００８２】
以上、本発明の実施形態について説明したが、これらの実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００８３】
たとえば、上述した実施形態においては、ステップＳ６において、ユーザに注意喚起を促すためのガイダンス音声が出力された後に、ステップＳ７において、ユーザ提示情報をディスプレイ３０に表示する場合を例示して説明したが、ユーザに注意喚起を促すためのガイダンス音声の出力、およびユーザ提示情報のディスプレイ３０への表示のタイミングは同時としても良い。
【００８４】
また、上述した実施形態においては、ユーザに注意喚起を促すための情報をガイダンス音声で出力する場合を例示して説明したが、必ずしも音声によるものである必要はなく、たとえば、ＨＵＤなどディスプレイ上に、ユーザに注意喚起を促すためのガイダンス情報を表示するものであっても良い。この場合においては、たとえば、受信部２０により交通情報を受信した際に、ディスプレイやディスプレイ周辺に設けられたＬＥＤなどを、目的地まで至る経路上に渋滞箇所がある場合には、“赤”に点灯あるいは点滅させ、一方、渋滞箇所が目的地まで至る経路上にない場合には、“青”に点灯あるいは点滅させるような構成とすれば良い。
【図面の簡単な説明】
【００８５】
【図１】図１は、本発明の実施形態に係るナビゲーション装置１の全体構成を示すブロック図である。
【図２】図２は、本発明の実施形態における情報開示装置２の動作を示すフローチャートである。
【図３】図３は、テキスト情報がＸＭＬ情報である場合における、情報の抽出・ガイダンス情報作製処理を示すフローチャートである。
【図４Ａ】図４Ａは、情報開示装置２により取得されるＸＭＬ情報の一例を示す図である。
【図４Ｂ】図４Ｂは、情報開示装置２により取得されるＸＭＬ情報の一例を示す図である。
【図４Ｃ】図４Ｃは、情報開示装置２により取得されるＸＭＬ情報の一例を示す図である。
【図５】図５は、テキスト情報が電子メール情報である場合における、情報の抽出・ガイダンス情報作製処理を示すフローチャートである。
【図６Ａ】図６Ａは、情報開示装置２により取得される電子メール情報の一例を示す図である。
【図６Ｂ】図６Ｂは、情報開示装置２により取得される電子メール情報の一例を示す図である。
【図６Ｃ】図６Ｃは、情報開示装置２により取得される電子メール情報の一例を示す図である。
【図６Ｄ】図６Ｄは、情報開示装置２により取得される電子メール情報の一例を示す図である。
【図７】図７は、テキスト情報が渋滞情報である場合における、情報の抽出・ガイダンス情報作製処理を示すフローチャートである。
【図８Ａ】図８Ａは、情報開示装置２により取得される電子メール情報の一例を示す図である。
【図８Ｂ】図８Ｂは、情報開示装置２により取得される電子メール情報の一例を示す図である。
【図８Ｃ】図８Ｃは、情報開示装置２により取得される電子メール情報の一例を示す図である。
【符号の説明】
【００８６】
１…ナビゲーション装置
２…情報開示装置
２０…受信部
２１…入力部
２２…情報抽出部
２３…ガイダンス情報生成部
２４…音声情報生成部
２５…保持部
２６…Ｄ／Ａコンバータ
２７…アンプ
２８…スピーカ
２９…情報提示部
３０…ディスプレイ
３…通信装置
４…内部情報端末
【図１】
2010127644.tif 000003
【図２】
2010127644.tif 000004
【図３】
2010127644.tif 000005
【図４Ａ】
2010127644.tif 000006
【図４Ｂ】
2010127644.tif 000007
【図４Ｃ】
2010127644.tif 000008
【図５】
2010127644.tif 000009
【図６Ａ】
2010127644.tif 000010
【図６Ｂ】
2010127644.tif 000011
【図６Ｃ】
2010127644.tif 000012
【図６Ｄ】
2010127644.tif 000013
【図７】
2010127644.tif 000014
【図８Ａ】
2010127644.tif 000015
【図８Ｂ】
2010127644.tif 000016
【図８Ｃ】
2010127644.tif 000017